(57)【特許請求の範囲】
【請求項１】
軸筒内に複数の筆記軸がその軸方向に移動可能に収容され、筆記軸の後端に操作体が連結され、各操作体が軸筒の後部側壁に形成された縦孔に軸方向に摺動可能に挿入されており、１つの操作体を前進させて前記縦孔の前端側の位置に保持させることにより、この操作体に連結された筆記軸の先端を軸筒の先端から突出した状態とする多芯筆記具において、
前記縦孔の後端は塞がれており、前記縦孔の後端に前記操作体の後端を係止させることにより、この操作体に連結された筆記軸を軸筒の内部に収容した状態に保持することが可能であり、
操作体は、縦孔に対してその径方向に出し入れ自在に構成されており、
筆記軸は、操作体に連結された状態で、後端が塞がれた縦孔を径方向に通過して軸筒に対して出し入れ自在であり、
前記縦孔は、前部の幅広孔と後部の幅狭孔と、からなり、幅狭孔の周囲は、幅狭孔よりも幅広の幅広溝となっており、前記操作体は、幅広孔及び幅広溝を摺動可能となった本体と、幅狭孔を摺動可能となった突設部とを有し、
前記幅広溝には、操作体の本体が係止可能な係止段部が形成されており、
操作体を縦孔の前端側まで前進させて操作体の本体を係止段部に係止させることにより、この操作体に連結された筆記軸の先端が軸筒の先端から突出した状態に保持されることを特徴とする多芯筆記具。
【請求項２】
軸筒内に複数の筆記軸がその軸方向に移動可能に収容され、筆記軸の後端に操作体が連結され、各操作体が軸筒の後部側壁に形成された縦孔に軸方向に摺動可能に挿入されており、１つの操作体を前進させて前記縦孔の前端側の位置に保持させることにより、この操作体に連結された筆記軸の先端を軸筒の先端から突出した状態とする多芯筆記具において、
前記縦孔の後端は塞がれており、前記縦孔の後端に前記操作体の後端を係止させることにより、この操作体に連結された筆記軸を軸筒の内部に収容した状態に保持することが可能であり、
操作体は、縦孔に対してその径方向に出し入れ自在に構成されており、
筆記軸は、操作体に連結された状態で、後端が塞がれた縦孔を径方向に通過して軸筒に対して出し入れ自在であり、
前記軸筒の外周における前記縦孔の後方には縦孔の後端縁から続く浅溝が形成されており、
前記操作体を縦孔に対して径方向に出し入れする際に、操作体の内周側の端部が前記浅溝に沿って移動することを特徴とする多芯筆記具。
【請求項３】
前記操作体の後端には、前記縦孔の後端に係止可能な係止凹部が形成されることを特徴とする請求項１または２記載の多芯筆記具。
【請求項４】
前記操作体は、前記縦孔に対して前方へ一旦摺動させて前記係止凹部から係止解除させることを特徴とする請求項３記載の多芯筆記具。
【請求項５】
前記軸筒内には、前記筆記軸を後方に付勢するコイルバネが収容されており、
軸筒内に縦孔を介して筆記軸を挿入させた際に、筆記軸の先端がコイルバネの後端から内側に挿入されて筆記軸の外周にコイルバネが巻回されるように形成され、
前記コイルバネの後部は、密着巻き部分または少なくとも中央よりもピッチの小さくなった部分を有することを特徴とする請求項１ないし４のいずれか１項に記載の多芯筆記具。
【請求項６】
前記筆記軸が縦孔を介して軸筒外方へと取り出されたときに、前記筆記軸の外周囲に巻回されていたコイルバネの後端は軸筒内における縦孔の前端付近に配置されることを特徴とする請求項１ないし５のいずれか１項に記載の多芯筆記具。
【請求項７】
前記軸筒の後端には消しゴム受台が設けられて、該消しゴム受台により前記軸筒の後端が塞がれており、前記筆記軸は、前記操作体に連結された状態で前記消しゴム受台により後端の塞がれた縦孔を径方向に通過して軸筒に対して出し入れ自在であることを特徴とする請求項１ないし６のいずれか１項に記載の多芯筆記具。
【発明の詳細な説明】
【技術分野】
【０００１】
本発明は、軸筒内に複数の筆記軸を収容した多芯筆記具に関し、特に、その筆記軸を容易に交換可能にした多芯筆記具に関する。
【背景技術】
【０００２】
従来、この種の多芯筆記具としては、特許文献１または２に記載されたものが知られている。
【０００３】
特許文献１及び特許文献２では、軸筒内に複数の筆記軸を前後方向に移動可能に収容し、各々の筆記軸を後方に付勢し、各々の筆記軸の後端に操作体を連結し、軸筒の側壁に形成された窓孔から径方向外方に操作体を突出させている。
【０００４】
そして、特許文献１では、軸筒の後端に、窓孔を後方に開口させる開口部を設け、該開口部を介して筆記軸及び筆記軸の後端に連結する操作体を軸筒内から取り外し可能且つ軸筒内に挿入可能に構成し、開口部を閉鎖する蓋部を軸筒の後端部に着脱自在に螺着して、複数の筆記軸を軸筒内から取り外し交換可能に構成している。
【０００５】
同様に、特許文献２では、軸筒の後端に、窓孔を後方に開口させる開口部を設け、該開口部を介して筆記軸及び筆記軸の後端に連結する操作体を軸筒内から取り外し可能且つ軸筒内に挿入可能に構成し、開口部を閉鎖する蓋部を軸筒の後端部に軸着して、複数の筆記軸を軸筒内から取り外し交換可能に構成している。
【０００６】
こうして、特許文献１または２記載の多芯筆記具においては、筆記軸及び操作体を一緒に軸筒の後方から取り出すことができるために、筆記軸を交換した際の、筆記軸と操作体との誤った連結を防止することができるようになっている。
【先行技術文献】
【特許文献】
【０００７】
【特許文献１】特開２００７−１５２７４号公報
【特許文献２】特開２００７−３０２４１号公報
【発明の概要】
【発明が解決しようとする課題】
【０００８】
しかしながら、特許文献１または２記載の多芯筆記具においては、操作体及び筆記軸を軸筒の窓孔を後方に開口させる開口部を開閉するための蓋部を軸筒の後端部に設ける必要があるため、軸筒の後端部の利用が制限され、設計自由度が小さくなる、という問題がある。
【０００９】
また、筆記軸の交換操作時に、蓋部を開閉するための操作が必要となり、操作が煩わしいという問題がある。
【００１０】
本発明は、かかる課題に鑑みなされたもので、軸筒の後端部の利用性を悪化させることなく、設計自由度を増加させることができて、且つ筆記軸を簡単に交換することができる多芯筆記具を提供することをその目的とする。
【課題を解決するための手段】
【００１１】
上記目的を達成するために、本発明のうち第１の発明は、軸筒内に複数の筆記軸がその軸方向に移動可能に収容され、筆記軸の後端に操作体が連結され、各操作体が軸筒の後部外周面に形成された縦孔に軸方向に摺動可能に挿入されており、１つの操作体を前進させて前記縦孔の前端側に保持させることにより、この操作体に連結された筆記軸の先端を軸筒の先端から突出した状態とする多芯筆記具において、
前記縦孔の後端は塞がれており、操作体は、縦孔に対してその径方向に出し入れ自在に構成されており、筆記軸は操作体に連結された状態で縦孔を径方向に通過して軸筒に対して出し入れ自在であることを特徴とする。
【００１２】
第２の発明は、第１の発明の多芯筆記具において、前記筆記軸が、縦孔に対して径方向に出し入れ自在となるような可撓性を有することを特徴とする。
【００１３】
第３の発明は、第１または第２の発明の多芯筆記具において、前記操作体の後端には、前記縦孔の後端に係止可能な係止凹部が形成されることを特徴とする。
【００１４】
第４の発明は、第３の発明の多芯筆記具において、前記操作体は、縦孔に対して前方へ一旦摺動させて前記係止凹部から係止解除させることで、縦孔から取り出すことが可能であることを特徴とする。
【００１５】
第５の発明は、第１ないし第４の発明のいずれかの多芯筆記具において、前記操作体には、径方向への出し入れの際に手掛かりとなり得る溝が形成されることを特徴とする。
【００１６】
第６の発明は、第１ないし第５の発明のいずれかの多芯筆記具において、前記筆記軸の外周囲には、筆記軸を後方に付勢するコイルバネが巻回されており、前記コイルバネの後部は、密着巻き部分または少なくとも中央よりもピッチの小さくなった部分を有することを特徴とする。
【００１７】
第７の発明は、第１ないし第６の発明のいずれかの多芯筆記具において、筆記軸及び操作体が軸筒外方へと取り出されたときに、前記筆記軸の外周囲に巻回されたコイルバネの後端は縦孔の前端付近に配置されることを特徴とする。
【００１８】
第８の発明は、第１ないし第７の発明のいずれかの多芯筆記具において、縦孔は、前部の幅広孔と後部の幅狭孔と、からなり、幅狭孔の周囲は、幅狭孔よりも幅広の幅広溝となっており、 前記操作体は、幅広孔及び幅広溝を摺動可能となった本体と、幅狭孔を摺動可能となった突設部とを有することを特徴とする。
【００１９】
第９の発明は、第８の発明の多芯筆記具において、前記操作体の本体が、幅広溝に形成された係止段部に係止可能であることを特徴とする。
【００２０】
また、第１０の発明は、第１ないし第９の発明のいずれかの多芯筆記具において、前記軸筒の後端には消しゴム受台が設けられていることを特徴とする。
【発明の効果】
【００２１】
本発明によれば、操作体が、縦孔に対してその径方向に出し入れ自在となっているために、筆記軸の交換時に、縦孔から操作体及びそれに連結された筆記軸を取り出すことができ、且つ縦孔から操作体及び筆記軸を挿入することができるようになる。よって、交換時に、軸筒の後端部は関与しないために、軸筒の後端部を有効利用することができ、軸筒の後端部の設計自由度を増加させることができる。
【００２２】
また、交換作業は、操作体及び筆記軸を縦孔及び軸筒に出し入れするだけの操作でよいために、操作が簡単である。
【００２３】
第２の発明によれば、筆記軸に充分な可撓性を持たせることにより、縦孔の軸方向長さが短くても筆記軸の交換時の縦孔の径方向の筆記軸の出し入れを円滑に行うことができる。
【００２４】
第３の発明によれば、操作体の後端に形成された係止凹部が、縦孔の後端に係止することで、筆記軸を軸筒内に収容した状態にすることができて、筆記軸が縦孔から不用意に脱出しないようにすることができる。
【００２５】
第４の発明によれば、筆記軸の交換時には、操作体を前方へ一旦摺動させることで、係止凹部と縦孔との係止を解除することができるので、操作体及び筆記軸を軸筒内から取り出すことができるようになる。
【００２６】
第５の発明によれば、操作体に溝が形成されているので、この溝を手掛かりとして、出し入れの作業を行うことができるようになる。
【００２７】
第６の発明によれば、筆記軸を軸筒内に挿入する際に、軸筒内にあるコイルバネの後部に引っ掛かりにくい構成とすることができて、筆記軸の先端をコイルバネの内部に挿通させやすくなる。
【００２８】
第７の発明によれば、筆記軸及び操作体が外方へと取り出されたときに、コイルバネの後端は縦孔の前端付近に配置されることで、次に、筆記軸及び操作体を挿入する際に、筆記軸の先端をコイルバネの内部に挿通させやすくなる。
【００２９】
第８の発明によれば、筆記軸の交換時に、操作体の本体は、幅広孔または幅広溝に、及び操作体の突設部は幅狭孔に、同時に出し入れすることができる。また、筆記軸は幅広孔から軸筒に、出し入れすることができる。
【００３０】
第９の発明によれば、操作体の本体が幅広溝に形成された係止段部に係止することで、筆記軸の先端を軸筒の先端から突出した状態に維持することができる。
【００３１】
第１０の発明によれば、軸筒の後端部の設計自由度が増加するために、軸筒の後端部に消しゴム受台を設けることができる。
【図面の簡単な説明】
【００３２】
【図１】本発明の実施形態による多芯筆記具を表す全体断面図（図４（ｂ）の１−１線に沿って切って見た断面図）である。
【図２】操作体の（ａ）は側面図、（ｂ）は斜視図である。
【図３】別の操作体の（ａ）は側面図、（ｂ）は斜視図である。
【図４】ガイドストッパーの（ａ）は縦断面図、（ｂ）は（ａ）の４ｂ方向から見た矢視図、（ｃ）は斜視図、（ｄ）は反対方向から見た斜視図である。
【図５】後軸の（ａ）は平面図、（ｂ）は縦断面図、（ｃ）は５ｃ−５ｃ線に沿って見た断面図、（ｄ）は５ｄ−５ｄ線に沿って見た断面図、（ｅ）は５ｅ−５ｅ線に沿って見た断面図、（ｆ）は５ｆ−５ｆ線に沿って見た断面図、である。
【図６】多芯筆記具の筆記軸を交換する場合の手順を表す斜視図である。
【図７】多芯筆記具の筆記軸の交換時の状態を示す全体断面図である。
【図８】（ａ）通常時、（ｂ）筆記軸交換時の縦孔と操作体との関係を表す横断面図である。
【図９】コイルバネの変形例を表す図である。
【発明を実施するための形態】
【００３３】
以下、図面を用いて本発明の実施の形態を説明する。
【００３４】
図１に示した多芯筆記具１０において、軸筒１２は、主として、先具１３と先軸１４と後軸１６とから構成される。先軸１４の先端は先具１３内に圧入されて着脱不能に連結されている。また、先軸１４の後端は、アダプター１８内に着脱不能に圧入されており、該アダプター１８と後軸１６とは互いに螺着により着脱可能に連結されている。尚、１９は先軸１２の使用者の把持部分に設けられた弾性グリッパである。尚、軸筒１２は、図１に示した例より少ない部材またはより多い部材から構成することができる。
【００３５】
軸筒１２内には、複数（本実施の形態では５本）の筆記軸２０、２２が収容される。複数の筆記軸２０、２２の組み合わせは任意であり、ユーザーが所望の筆記軸２０、２２の組み合わせを選択することができるようになっている。図１に示した例では、筆記軸として、４本のボールペン軸２０と、１本のシャープペンシル軸２２とからなる組み合わせが選択されている。
【００３６】
ボールペン軸２０は、インキが収容されるインキ収容管２０ａと、インキ収容管２０ａの先端に取り付けられてボールを内蔵するチップ２０ｂとを有している。複数のボールペン軸２０も、それぞれユーザーが所望の色のインキの色の組み合わせ、または異なるボール径の組み合わせ等の異なる種類の組み合わせとすることができる。
【００３７】
シャープペンシル軸２２には、例えば、実公平６−３２３９７号公報に示されたような、チャックを前進させることにより筆記芯を送出する公知の芯送出機構が内蔵されている。シャープペンシル軸２２の先端が先具１３の先端から突出した状態でシャープペンシル軸２２を前方へ向けて（後述の操作体２６を操作して）ノックすると、シャープペンシル軸２２の先具１３から突出しない先部分が先具１３の先端内壁に当接して、芯送出機構が前進し、芯が送出される。
【００３８】
また、筆記軸の組み合わせとしては、これに限定されず、アイブロウまたはアイライナー等の化粧料芯、消しゴム、パスのような比較的軟らかな筆記芯でもよく、その場合は実公平６−３２３９７号公報で示されたように、筆記芯を細棒で保持し、この細棒をシャープペンシル軸２２の場合の芯と同じように送出することによって、筆記芯を送出するものであってもよい。
【００３９】
各筆記軸２０、２２の後端には操作体２４、２６がそれぞれ連結される。操作体２４、２６は、図２及び図３に示したように、本体２４ａ、２６ａと、本体２４ａ、２６ａの後部で外径方向に突出し、使用者が手で操作する為の操作突部２４ｂ、２６ｂと、本体２４ａ、２６ａよりも内径方向に突出した突設部２４ｃ、２６ｃが形成される。
【００４０】
操作体２４、２６の本体２４ａ、２６ａの後端部には、後方に突出する係止爪２４ｄ、２６ｄが形成される。
【００４１】
操作体２４、２６の突設部２４ｃ、２６ｃは本体２４ａ、２６ａよりも厚みが薄くなっている。突設部２４ｃ、２６ｃは、その内径方向先端に、複数の係合片２４ｅ、２６ｅを有し、後端に係止凹部２４ｆ、２６ｆを有する。係止凹部２４ｆ、２６ｆの内径方向側は傾斜面２４ｇ、２６ｇとなっている。
【００４２】
操作体２６の操作突部２６ｂは、クリップ用取付台座となっており、クリップ用取付台座にはクリップ３０が取り付けられる。操作体２４の操作突部２４ｂの側面には、小溝２４ｈが形成される。
【００４３】
また、操作体２４、２６の前端には、筆記軸２０、２２に連結するべく筆記軸２０、２２内に嵌入される嵌入部２４ｉ、２６ｉが形成される。
【００４４】
後軸１６の内部には、各筆記軸２０、２２のガイドを行うガイドストッパー３２が固定される。ガイドストッパー３２は、図４に示したように、各筆記軸２０、２２が挿通する挿通孔３２ａが形成された本体３２ｂと、本体３２ｂの挿通孔３２ａから後方へと延長する案内路３２ｃが形成された案内部３２ｄとを備える。
【００４５】
ガイドストッパー３２の本体３２ｂと各操作体２４の間には、弾性体であるコイルバネ３３がそれぞれ介挿される。各コイルバネ３３は各筆記軸２０、２２の外周囲を巻回して、各筆記軸２０、２２を常時、後方へ付勢している。
【００４６】
コイルバネ３３は、両端部を除きピッチが均等となった通常のバネを使用することもできるが、好ましくは、図９に示したように、その後部に、自然状態で、少なくとも中央よりもピッチが小さくなり、密度の高くなった部分を有するバネを用いるとよい。または、後部に密着巻き部分を有するバネを用いることでもよい。
【００４７】
各操作体２４、２６は、後軸１６の後部側壁に形成された縦孔１６ａにそれぞれ軸方向に摺動可能に挿入される。各縦孔１６ａは、図５に示すように、前部が孔幅の広い幅広孔１６ａ１となり、後部が孔幅の狭い幅狭孔１６ａ２となっており、幅狭孔１６ａ２の後端は開口しておらず、縦孔１６ａの後端は塞がれた状態となる。また、幅狭孔１６ａ２の周囲は、幅広孔１６ａ１と同じ幅の幅広溝１６ｂとなっている。幅広孔１６ａ１及び幅広溝１６ｂには、操作体２４、２６の本体２４ａ、２６ａが挿入可能となっているのに対して、幅狭孔１６ａ２には、操作体２４、２６の突設部２４ｃ、２６ｃのみが挿入可能となっている。また、幅広溝１６ｂの前後方向途中には、係止段部１６ｃが形成され、また、幅広溝１６ｂの幅狭孔１６ａ２よりも後方の部分には、浅溝１６ｂ１が形成される。
【００４８】
好ましくは、幅狭孔１６ａ２の後端部には、幅狭孔１６ａ２よりも溝幅が広く、幅広溝１６ｂよりは溝幅の狭い拡大部１６ａ３が形成されるとよい。
【００４９】
後軸１６の後端面には、円形の開口１６ｄが形成され、さらにその後方には、消しゴム受台３４が設けられる。消しゴム受台３４は、後軸１６と一体に形成されているが、これに限らず、別体とすることも可能である。
【００５０】
消しゴム受台３４内には消しゴム３６が挿入され、また、消しゴム受台３４には、消しゴム３６を不使用時に保護する消しゴムカバー３８が着脱可能に被着される。
【００５１】
以上のように構成される多芯筆記具１０において、全ての筆記軸２０、２２が軸筒１２内に収容された状態では、全ての筆記軸２０、２２の操作体２４、２６の係止凹部２４ｆ、２６ｆが縦孔１６ａの幅狭孔１６ａ２の後端に係止している（図１の操作体２６参照）。このため、筆記軸２０、２２は、軸筒１２内にあって、不用意に脱出することはない。また、クリップ３０を使用するために揺動させたとしても、操作体２６が不用意に脱出することはない。
【００５２】
筆記軸２０、２２を使用する際には、筆記軸２０、２２のいずれか１つを突出させる。そのため、所望の筆記軸２０、２２に連結されるいずれか１つの操作体２４の操作突部２４ｂ、または操作体２６の操作突部２６ｂ若しくはクリップ３０を縦孔１６ａに沿って前方に摺動させると、対応する操作体２４、２６の本体２４ａ、２６ａが幅広孔１６ａ１及び幅広溝１６ｂに沿って移動し、操作体２４、２６の突設部２４ｃ、２６ｃが幅狭孔１６ａ２に沿って移動する。対応する本体２４ａ、２６ａが係止段部１６ｃを通過すると、縦孔１６ａの内径方向に没入することができる。そこで操作を停止すると、係止爪２４ｄ、２６ｄが係止段部１６ｃに係止されるために、前進した状態を維持し、よって、対応する筆記軸２０、２２の先端が、先具１３の先端から突出して使用可能な状態となる（図１の筆記軸２０参照）。
【００５３】
この状態から、使用する筆記軸２０、２２を切り替えるには、別の所望の筆記軸２０、２２に連結されるいずれか１つの操作体２４の操作突部２４ｂ、または操作体２６の操作突部２６ｂ若しくはクリップ３０を縦孔１６ａに沿って前方に摺動させる。すると、別の操作体２４、２６の突設部２４ｃ、２６ｃの係合片２４ｅ、２６ｅが、突出している筆記軸２０、２２の操作体２４、２６の突設部２４ｃ、２６ｃの係合片２４ｅ、２６ｅと干渉して、今まで突出していた操作体２４、２６を外方に押し出すために、その操作体２４、２６はその係止を解除して、バネ３３の付勢力によって後方に戻る。代わりに、別の所望の筆記軸２０、２２に連結される操作体２４、２６の係止爪２４ｄ、２６ｄが係止段部１６ｃに係止されるために、その所望の筆記軸２０、２２が前進した状態を維持し、使用可能な状態となる。
【００５４】
次に、筆記軸２０、２２が消耗した場合、または他の種類の筆記軸２０、２２に変更したい場合について図６及び図７を参照して説明する。取り替えるべき筆記軸２０、２２に連結された操作体２４、２６の操作突部２４ｂ、２６ｂを掴み、縦孔１６ａから径方向外方へと引っ張り出す。このとき、やや筆記軸２０をバネ３３のバネ力に抗して、一旦前方に摺動させた後、径方向外方へと引っ張ると、係止凹部２４ｆ、２６ｆの幅狭孔１６ａ２との係止が解除されるので、外方へと取り出し可能となる。このとき、傾斜面２４ｇ、２６ｇが係止の解除を援助する。
【００５５】
さらに、操作体２４、２６は、図８に示すように、縦孔１６ａに引っ掛かる鍔のようなものはなく、外方へと簡単に取り出すことができる構造となっており、また、小溝２４ｈやクリップ３０が設けられているため、これらを手掛かりとして外方へと引っ張りやすい構造となっている。この操作体２４、２６が縦孔１６ａから取り出されたときに、浅溝１６ｂ１によって操作体２４、２６の係合片２４ｅ、２６ｅが幅広溝１６ｂと干渉することなく、円滑に縦孔１６ａを通過することができるようになっている。
【００５６】
そして、筆記軸２０、２２自体の可撓性を利用して、操作体２４、２６に続き筆記軸２０、２２を外方へと引き出す。筆記軸２０、２２は、縦孔１６ａの幅広孔１６ａ１を通過して軸筒１２に対して出し入れすることができる。このとき、筆記軸２０、２２の外周囲を巻回していたバネ３３の後端は、後軸１６の縦孔１６ａの前端付近において後軸１６と干渉して、それ以上後退できないようになっているとよい。
【００５７】
そして、反対の手順によって、交換後の別の筆記軸２０、２２を操作体２４、２６に連結した状態で、筆記軸２０、２２をその先端から縦孔１６ａに挿入し、縦孔１６ａの前端付近で待機しているバネ３３の内側に挿入して、軸筒１２内へと挿入していく。こうして、交換作業を終了することができる。尚、コイルバネ３３の後部がピッチが小さくなっているかまたは密着巻きの部分となっていると、筆記軸２０、２２の挿入時にその先端がコイルバネ３３に引っ掛かるおそれがなくなり、円滑に挿入作業を行うことができる。
【００５８】
このように、操作体２４、２６は、縦孔１６ａに対してその径方向に出し入れ可能な構成となっているために、その交換作業が簡単である。しかしながら、通常の使用状態時には、操作体２４、２６は軸筒１２内に収容される筆記軸２０、２２と連結されており、且つ、操作体２４、２６の係止凹部２４ｆ、２６ｆが、縦孔１６ａの後端に係止しているために、不用意に操作体２４、２６が縦孔１６ａから外れることはない。
【００５９】
また、操作体２４、２６及び筆記軸２０、２２を縦孔１６ａの径方向で出し入れするために、後軸１６の後端は、操作体２４、２６及び筆記軸２０、２２の出し入れには影響されない。即ち、この例では、縦孔１６ａの後端は、消しゴム受台３４等によって塞がれており、消しゴムのための収納空間として利用されている。このように軸筒１２の後端部の設計自由度を増加させることができる。軸筒１２の後端部の有効利用は、消しゴムの収納に限らず、任意の利用とすることができる。
【符号の説明】
【００６０】
１０  多芯筆記具
１２  軸筒
１６ａ  縦孔
１６ａ１  幅広孔
１６ａ２  幅狭孔
１６ｂ  幅広溝
１６ｃ  係止段部
２０、２２  筆記軸
２４、２６  操作体
２４ａ、２６ａ  本体
２４ｃ、２６ｃ  突設部
２４ｆ、２６ｆ  係止凹部
２４ｈ  小溝
３３  コイルバネ
３４  消しゴム受台
【図１】
0005406116.tif 000002
【図２】
0005406116.tif 000003
【図３】
0005406116.tif 000004
【図４】
0005406116.tif 000005
【図５】
0005406116.tif 000006
【図６】
0005406116.tif 000007
【図７】
0005406116.tif 000008
【図８】
0005406116.tif 000009
【図９】
0005406116.tif 000010